(57)【要約】【課題】  研磨ベルトによる研磨と、板状の研磨材による仕上研磨とを組み合わせることで、凹凸形状部、角部や曲面形状部にパートラインを有する樹脂成形品を迅速に連続して研磨することができ、かつその研磨面を平滑なものに仕上げる。【解決手段】  凹凸部などを有する樹脂成形品Ｗの周囲に形成されたパートライン５２を有する樹脂成形品Ｗの凹形状部のパートラインは、研磨ベルト１の研磨面を近づけ、押し当てながら研磨し、樹脂成形品Ｗの角部や曲面形状部のパートラインは、パートラインが研磨ベルト１の研磨面を擦るように、樹脂成形品Ｗを研磨ベルト１の回転方向に対して略直角方向に移動させながら、樹脂成形品Ｗの周囲のパートラインを連続して研磨し、引き続いて、樹脂成形品Ｗの周囲のパートラインが回転又は振動する板状の研磨材３面を擦るように、樹脂成形品Ｗを略水平方向に移動させながら、樹脂成形品Ｗの周囲のパートラインを連続して仕上研磨する。【選択図】  図１
2006150470.tif 000002
【特許請求の範囲】
【請求項１】
凹凸部、角部や曲面部を有する樹脂成形品（Ｗ）の周囲に形成されたパートライン（５２）を研磨する樹脂成形品のパートライン研磨方法であって、
前記樹脂成形品（Ｗ）の凹形状部に形成されたパートライン（５２）は、研磨ベルト（１）の研磨面を近づけ、押し当てながら研磨し、
前記樹脂成形品（Ｗ）の角部や曲面形状部に形成されたパートライン（５２）は、該パートライン（５２）が前記研磨ベルト（１）の研磨面を擦るように、該樹脂成形品（Ｗ）を前記研磨ベルト（１）の回転方向に対して略直角方向に移動させながら、該樹脂成形品（Ｗ）の周囲のパートライン（５２）を連続して研磨し、
引き続いて、前記樹脂成形品（Ｗ）の周囲のパートライン（５２）が板状の研磨材（３）面を擦るように、該樹脂成形品（Ｗ）を移動させながら、該樹脂成形品（Ｗ）の周囲のパートライン（５２）を連続して仕上研磨する、ことを特徴とする樹脂成形品のパートライン研磨方法。
【請求項２】
凹凸部、角部や曲面部を有する樹脂成形品（Ｗ）の周囲に形成されたパートライン（５２）を研磨する樹脂成形品のパートライン研磨方法であって、
前記樹脂成形品（Ｗ）の凹形状部に形成されたパートライン（５２）は、研磨ベルト（１）の研磨面を近づけ、押し当てながら研磨し、
前記樹脂成形品（Ｗ）の角部や曲面形状部に形成されたパートライン（５２）は、該パートライン（５２）が前記研磨ベルト（１）の研磨面を擦るように、該樹脂成形品（Ｗ）を略水平方向に移動させながら、該樹脂成形品（Ｗ）の周囲のパートライン（５２）を連続して研磨し、
引き続いて、前記樹脂成形品（Ｗ）の周囲のパートライン（５２）が板状の研磨材（３）面を擦るように、該樹脂成形品（Ｗ）を略水平方向に移動させながら、該樹脂成形品（Ｗ）の周囲のパートライン（５２）を連続して仕上研磨する、ことを特徴とする樹脂成形品のパートライン研磨方法。
【請求項３】
前記板状の研磨材（３）を回転させる、ことを特徴とする請求項１又は２の樹脂成形品のパートライン研磨方法。
【請求項４】
前記板状の研磨材（３）を振動させる、ことを特徴とする請求項１又は２の樹脂成形品のパートライン研磨方法。
【請求項５】
前記研磨ベルト（１）の作動中に、該研磨ベルト（１）の研磨面に付着した研磨滓を除去する、ことを特徴とする請求項１又は２の樹脂成形品のパートライン研磨方法。
【請求項６】
前記研磨ベルト（１）の周速度を、該研磨ベルト（１）の使用途中に可変する、ことを特徴とする請求項１又は２の樹脂成形品のパートライン研磨方法。
【請求項７】
前記板状の研磨材（３）の回転速度を、該板状の研磨材（３）の使用途中に可変する、ことを特徴とする請求項３の樹脂成形品のパートライン研磨方法。
【請求項８】
前記板状の研磨材（３）の振動速度を、該板状の研磨材（３）の使用途中に可変する、ことを特徴とする請求項４の樹脂成形品のパートライン研磨方法。
【請求項９】
前記板状の研磨材（３）を偏心させて回転させながら、前記樹脂成形品（Ｗ）の周囲のパートライン（５２）を仕上研磨する、ことを特徴とする請求項３の樹脂成形品のパートライン研磨方法。
【請求項１０】
前記板状の研磨材（３）を振動の振幅を可変させながら、前記樹脂成形品（Ｗ）の周囲のパートライン（５２）を仕上研磨する、ことを特徴とする請求項４の樹脂成形品のパートライン研磨方法。
【発明の詳細な説明】
【技術分野】
【０００１】
本発明は、樹脂めっき処理前の樹脂成形品のパートラインを研磨する方法に係り、特に凹凸部、角部や曲面部を有する樹脂成形品の周囲に形成されたパートラインを研磨する樹脂成形品のパートライン研磨方法に関するものである。
【背景技術】
【０００２】
樹脂めっきを施す樹脂成形品については、その樹脂めっきした後、クラック割れが生じやすいので、樹脂成形する際に形成された外周部のパートライン、即ち、ばりを研磨している。また、直接人の手が触れる樹脂成形品については、パートラインを必ず研磨する必要がある。例えば図６に示すように、合成樹脂製の取っ手５１では金型成形の際にその接合部に形成されたパートライン５２を研磨していた。
【０００３】
従来は、このような樹脂成形品のパートラインについては、一つ一つの樹脂成形品を手作業で研磨していた。しかし、１個の樹脂成形品の研磨作業に約３０秒から２分以上もかかり研磨処理に長時間を要していた。しかも、手作業の研磨はバラツキが多く、製品の一定品質を維持することが困難であった。
【０００４】
そこで、樹脂成形品を自動研磨する技術が提案されている。例えば、特許文献１の特開２０００−１７６８０７号公報「樹脂成形品のばり取り装置」のように、板状の樹脂成形品の外周部のばりを除去するための樹脂成形品のばり取り方法であって、複数の上記樹脂成形品を積層し、該積層状態の樹脂成形品の外周部に１以上の回転ブラシを接触させた状態で、該回転ブラシを回転駆動しつつ上記積層状態の樹脂成形品と上記回転ブラシとを該樹脂成形品の積層方向に相対移動させて各樹脂成形品の外周部のばりを順次除去することを特徴とする樹脂成形品のばり取り方法、装置が提案されている。
【０００５】
また、特許文献１には、積層状態の樹脂成形品を外周部の一部を露出させて積層方向に移動可能に案内支持する第１ガイド部と、上記第１ガイド部上の樹脂成形品の上記露出部分のばりを除去する第１回転ブラシと、上記第１ガイド部に接続して設けられ、上記積層状態の樹脂成形品を外周部の上記第１回転ブラシによるばりの除去が行われない部分を露出させて積層方向に移動可能に案内支持する第２ガイド部と、上記第２ガイド部上の樹脂成形品の上記露出部分のばりを除去する第２回転ブラシと、上記各樹脂成形品の外周部のばりが上記第１及び第２回転ブラシにより順次除去されるように上記積層状態の樹脂成形品を上記第１及び第２ガイド部上で積層方向に移動させる移動機構とを備えていることを特徴とする樹脂成形品のばり取り装置が提案されている。
【特許文献１】特開２０００−１７６８０７号公報
【発明の開示】
【発明が解決しようとする課題】
【０００６】
特許文献１のばり取り方法、ばり取り装置は、スリットを有するような外周形状であっても、樹脂成形品のばり以外の部分に傷を付けることなく、かつ整列状態のままでばりの除去作業を行い、ブロックベルトのブロックのような板状の樹脂成形品の外周部のばりを除去することができる。しかし、合成樹脂製の取っ手のような凹凸部と曲面部を共に有する樹脂成形品の外周部のパートラインは研磨することは困難である。即ち、複雑な形状の樹脂成形品については、そのパートラインを円滑に研磨することができないという問題を有していた。
【０００７】
また、特許文献１のばり取り方法、ばり取り装置では、回転ブラシを採用しているので、樹脂成形品の研磨面に回転方向の傷が付きやすく、その後の樹脂めっきに不具合が生じやすので、手に触れたときに違和感が生じる製品になりやすいという問題を有していた。
【０００８】
本発明は、かかる問題点を解決するために創案されたものである。すなわち、本発明の目的は、研磨ベルトによる研磨と、板状の研磨材による仕上研磨とを組み合わせることで、凹凸部、角部や曲面部を有する樹脂成形品の周囲に形成されたパートラインを迅速に連続して研磨することができ、かつその研磨面を平滑なものに仕上げることができる樹脂成形品のパートライン研磨方法を提供することにある。
【課題を解決するための手段】
【０００９】
本発明によれば、凹凸部、角部や曲面部を有する樹脂成形品（Ｗ）の周囲に形成されたパートライン（５２）を研磨する樹脂成形品のパートライン研磨方法であって、前記樹脂成形品（Ｗ）の凹形状部に形成されたパートライン（５２）は、研磨ベルト（１）の研磨面を近づけ、押し当てながら研磨し、前記樹脂成形品（Ｗ）の角部や曲面形状部に形成されたパートライン（５２）は、該パートライン（５２）が前記研磨ベルト（１）の研磨面を擦るように、該樹脂成形品（Ｗ）を前記研磨ベルト（１）の回転方向に対して略直角方向に移動させながら、該樹脂成形品（Ｗ）の周囲のパートライン（５２）を連続して研磨し、引き続いて、前記樹脂成形品（Ｗ）の周囲のパートライン（５２）が板状の研磨材（３）面を擦るように、該樹脂成形品（Ｗ）を移動させながら、該樹脂成形品（Ｗ）の周囲のパートライン（５２）を連続して仕上研磨する、ことを特徴とする樹脂成形品のパートライン研磨方法が提供される。
【００１０】
例えば、前記樹脂成形品（Ｗ）の凹形状部に形成されたパートライン（５２）は、研磨ベルト（１）の研磨面を近づけ、押し当てながら研磨し、前記樹脂成形品（Ｗ）の角部や曲面形状部に形成されたパートライン（５２）は、該パートライン（５２）が前記研磨ベルト（１）の研磨面を擦るように、該樹脂成形品（Ｗ）を略水平方向に移動させながら、該樹脂成形品（Ｗ）の周囲のパートライン（５２）を連続して研磨し、引き続いて、前記樹脂成形品（Ｗ）の周囲のパートライン（５２）が板状の研磨材（３）面を擦るように、該樹脂成形品（Ｗ）を略水平方向に移動させながら、該樹脂成形品（Ｗ）の周囲のパートライン（５２）を連続して仕上研磨する。
前記板状の研磨材（３）は回転又は振動させる。
【００１１】
前記研磨ベルト（１）の作動中に、該研磨ベルト（１）の研磨面に付着した研磨滓を除去することが好ましい。
【００１２】
前記研磨ベルト（１）の周速度を、該研磨ベルト（１）の使用途中に可変することが好ましい。
前記板状の研磨材（３）の回転速度を、該板状の研磨材（３）の使用途中に可変し、又は前記板状の研磨材（３）の振動速度を、該板状の研磨材（３）の使用途中に可変することが好ましい。
【００１３】
前記板状の研磨材（３）を偏心させて回転させながら、前記樹脂成形品（Ｗ）の周囲のパートライン（５２）を仕上研磨する。
前記板状の研磨材（３）を振動の振幅を可変させながら、前記樹脂成形品（Ｗ）の周囲のパートライン（５２）を仕上研磨する。
【発明の効果】
【００１４】
本発明では、凹凸部、角部や曲面部を有する樹脂成形品（Ｗ）の周囲に形成されたパートライン（５２）に研磨ベルト（１）を離接しながら、該樹脂成形品（Ｗ）を研磨し、更に曲面形状部のパートライン（５２）を連続研磨することで、平滑な研磨面になるように樹脂成形品（Ｗ）を研磨することができる。または逆に曲面形状部のパートライン（５２）を研磨した後、凹形状部のパートライン（５２）を連続して研磨する。
この研磨ベルト（１）の連続研磨に引き続いて、回転又は振動する板状の研磨材（３）に対して、樹脂成形品（Ｗ）の周囲のパートライン（５２）が擦るように、樹脂成形品（Ｗ）を略水平方向に移動させながら、この樹脂成形品（Ｗ）周囲のパートライン（５２）を連続して仕上研磨でき、円滑に研磨仕上げを完成させることができる。
しかも、研磨ベルト（１）による研磨と、回転板状の研磨材（３）による仕上研磨とを組み合わせることで、樹脂成形品（Ｗ）を迅速に研磨することができる。
【００１５】
研磨ベルト（１）の作動中に、その表面に付着した研磨滓を除去しながら、樹脂成形品（Ｗ）を研磨することで、研磨ベルト（１）の研磨面の目詰まりによる研磨能力を低下させることなく連続的に研磨することができる。
研磨ベルト（１）の周速度を、使用途中に可変することで、研磨効果を一定に維持しながら研磨処理の均質化を図ることができる。
【００１６】
板状の研磨材（３）の回転速度、振動速度等は、使用途中に可変することで、研磨効果を一定に維持しながら研磨処理の均質化を図ることができる。
板状の研磨材（３）を偏心させて回転させながら、樹脂成形品（Ｗ）の周囲のパートライン（５２）を仕上研磨することで、研磨面に回転方向の傷を付けないようにすることができる。同様に、板状の研磨材（３）を振動の振幅を可変させながら、樹脂成形品（Ｗ）の周囲のパートライン（５２）を仕上研磨することで、研磨面に傷を付けないようにすることができる。
【発明を実施するための最良の形態】
【００１７】
本発明は、凹凸部、角部や曲面部を有する樹脂成形品に形成されたパートラインについて、研磨ベルトによる連続した研磨と、板状の研磨材による仕上げの連続した研磨を組み合わせた樹脂成形品のパートライン研磨方法である。
【実施例１】
【００１８】
以下、本発明の好ましい実施の形態を図面を参照して説明する。
図１は本発明の樹脂成形品のパートライン研磨方法を示す工程図である。図２は本発明の樹脂成形品のパートライン研磨方法を実施する際に使用する研磨ベルトと板状の研磨材との説明構成正面図である。図３は本発明の樹脂成形品のパートライン研磨方法を実施する際に使用する研磨ベルトと板状の研磨材との説明構成平面図である。この図１では、樹脂成形品Ｗとして合成樹脂製の取っ手を研磨する標準的な研磨工程を説明する。
先ず、これから研磨しようとする樹脂成形品Ｗを治具（図示していない）にセットする。例えば、合成樹脂製の取っ手では、取っ手の軸止め用の孔やスリットが開けられた部分に、治具を嵌めこみ不要な揺れが生じないようにする。この治具を起動させると共に、研磨ベルト１の研磨面を樹脂成形品Ｗに近づけるために、研磨ベルト１の内側に配置したパッド２を押圧する。これは、凹凸部、角部や曲面部を有する樹脂成形品の外周部に形成されたパートライン５２であっても円滑にそのパートライン５２を研磨するためである。
この研磨ベルト１による研磨は、パートライン５２がめっき後に膨れ、クラックの起点となるため、この段差を除去することを目的とするものである。
【００１９】
図４は本発明の樹脂成形品の動作状態を示す平面図であり、（ａ）から（ｅ）までは研磨ベルトによる研磨処理の状態、（ｆ）から（ｊ）は板状の研磨材による仕上研磨処理の状態である。
この樹脂成形品Ｗの凹形状部のパートライン５２は、研磨ベルト１に押し当てながら研磨した後、パッド２を後退させて、この研磨ベルト１を後退させる（図２参照）。このような研磨ベルト１の位置を変化させることにより、凹部を有する樹脂成形品（樹脂成形品Ｗの１面）であっても自動研磨することができる。この凹形状部のパートライン５２が湾曲しているときは、その曲面をなぞるように研磨する。
【００２０】
この凹形状部のパートライン５２に続けて、図４の（ａ）から（ｅ）に示すように、樹脂成形品Ｗの周囲のパートライン５２を、研磨ベルト１面を擦るように、樹脂成形品Ｗを略水平方向に移動させながら、この樹脂成形品Ｗの周囲のパートライン（成形品の２面から３面）を連続研磨する。これにより円滑なパートライン５２の研磨を実施することができる。
なお、図示例では、上下方向へ回転する研磨ベルト１に対して、樹脂成形品Ｗを略水平方向に移動させて樹脂成形品Ｗ周囲のパートライン５２を研磨する状態について説明している。これ以外に、略水平方向へ回転する研磨ベルト１に対して、樹脂成形品Ｗを略上位方向に移動させて樹脂成形品Ｗのパートライン５２を研磨することも可能である。樹脂成形品Ｗの形状に応じてその研磨方向を可変することができる。
【００２１】
研磨ベルト１は、研磨した樹脂の目詰まりにより研磨力が低下する。この研磨ベルト１の作動中に、付着した研磨滓を除去しながら樹脂成形品Ｗを研磨することが可能である。研磨滓を除去しないときは、樹脂成形品Ｗを数十個程度研磨すると新しい研磨ベルト１に交換していた。しかし、このように途中で研磨滓を除去することで数千個まで研磨することができるようになった。そこで、研磨ベルト１の消費量を下げ、作業コストの低減を図ることができる。
【００２２】
次に、樹脂成形品Ｗの凹形状部のパートライン５２を、回転する板状の研磨材３に押し当てながら仕上研磨し、樹脂成形品Ｗの周囲のパートライン５２が回転する板状の研磨材３面を擦るように、樹脂成形品Ｗを略水平方向に移動させながら、樹脂成形品Ｗの周囲のパートライン５２を連続して仕上研磨する。なお、この板状の研磨材３の回転研磨に代えて振動させることも可能である。この板状の研磨材３による仕上研磨は、上述した研磨ベルト１の研磨により発生した樹脂成形品Ｗのエッジが膨れてクラックの原因となるため、丸みを付けることを目的とするものである。
なお、板状の研磨材３による研磨は、回転研磨に限定されず、振動させながら研磨することも可能である。
【００２３】
この回転する板状の研磨材３による仕上研磨も、図４の（ｆ）から（ｊ）に示すように、樹脂成形品Ｗの周囲のパートライン５２を、板状の研磨材３面を擦るように、樹脂成形品Ｗを略水平方向に移動させながら、樹脂成形品Ｗの周囲のパートライン（樹脂成形品の１面から２面、３面まで）を連続して研磨する。これにより円滑なパートライン５２の仕上研磨を実施することができる。
なお、図示例では、板状の研磨材３についても研磨ベルト１と同様に、水平方向に配置した回転中心軸で回転する板状の研磨材３に対して、樹脂成形品Ｗを略水平方向に移動させて樹脂成形品Ｗのパートライン５２を研磨する状態について説明している。これ以外に、上下方向に配置した回転中心軸で回転する板状の研磨材３に対して、樹脂成形品Ｗを略縦方向に移動させて樹脂成形品Ｗのパートライン５２を研磨することも可能である。
【００２４】
このように凹凸部、角部や曲面部を有する樹脂成形品に形成されたパートライン５２をについて、研磨ベルト１による連続した研磨と、回転する板状の研磨材３による連続した仕上研磨が終了したら、冶具から取り外し研磨処理が完了する。上述と同様な工程で次の樹脂成形品Ｗをセットする。
【実施例２】
【００２５】
研磨ベルト１の周速度は、常に同一周速度で回転させる必要はない。実施例２の研磨方法では、研磨ベルト１の周速度を、使用途中に可変する。生産開始と終わりでは研磨力の差が大きい。それに伴い樹脂成形品Ｗの状態も生産開始と終わりでは異なる外観になる。この実施例２の周速度を変化させる方法は製品外観を均一に保つことを目的とする。この研磨ベルト１の周速度は樹脂成形品Ｗの材質、大きさ、パートラインの突出度、研磨ベルト１の種類に応じて勿論変化するものである。
【００２６】
同様に、板状の研磨材３についても、その回転速度を使用途中で可変することにより、研磨処理の均質化を図ることができる。
【実施例３】
【００２７】
図５は実施例３の板状の研磨材を偏心回転させる状態の説明図である。
実施例３では、板状の研磨材３を偏心させて回転させながら、樹脂成形品Ｗの周囲のパートライン５２を仕上研磨する。このように板状の研磨材３を偏心させて回転させると研磨面に回転方向の傷を付けないようにすることができる。
【実施例４】
【００２８】
実施例４では、板状の研磨材３を振動の振幅を可変させながら、樹脂成形品Ｗの周囲のパートライン５２を仕上研磨する。このように板状の研磨材３をその振動の振幅を可変させる方法でも、研磨面に傷を付けないようにすることができる。  
【００２９】
なお、本発明は上述した発明の実施の形態に限定されず、研磨ベルト１のよる研磨と、回転板状の研磨材３による仕上研磨を組み合わせることで、樹脂成形品Ｗのパートライン５２を迅速に連続して研磨することができ、かつその研磨面を平滑なものに仕上げることができる方法であれば、図示したような工程に限定されず、本発明の要旨を逸脱しない範囲で種々変更できることは勿論である。
【産業上の利用可能性】
【００３０】
本発明の樹脂成形品のパートライン研磨方法は、凹凸部、角部や曲面部を有する樹脂成形品について利用できるだけでなく、板状の単純な形状の樹脂成形品のパートラインの研磨に利用することができる。
【図面の簡単な説明】
【００３１】
【図１】本発明の樹脂成形品のパートライン研磨方法を示す工程図である。
【図２】本発明の樹脂成形品のパートライン研磨方法を実施する際に使用する研磨ベルトと板状の研磨材との説明構成正面図である。
【図３】本発明の樹脂成形品のパートライン研磨方法を実施する際に使用する研磨ベルトと板状の研磨材との説明構成平面図である。
【図４】本発明の樹脂成形品の動作状態を示す平面図であり、（ａ）から（ｅ）までは研磨ベルトによる研磨処理の状態、（ｆ）から（ｊ）は板状の研磨材による仕上研磨処理の状態である。
【図５】実施例３の板状の研磨材を偏心回転させる状態の説明図である。
【図６】樹脂成形品の一例である合成樹脂製の取っ手にあらわれたパートラインを示す説明図である。
【符号の説明】
【００３２】
１  研磨ベルト
２  パッド
３  板状の研磨材
Ｗ  樹脂成形品
５２  パートライン
【図１】
2006150470.tif 000003
【図２】
2006150470.tif 000004
【図３】
2006150470.tif 000005
【図４】
2006150470.tif 000006
【図５】
2006150470.tif 000007
【図６】
2006150470.tif 000008